(57)【要約】【課題】携帯電話に代表される携帯通信端末器の使用が好ましくない場所や場面に設置あるいは携帯された制御信号発信器とその制御信号の受信によって電源状態や動作モードを自動で変更する機能を持った携帯通信端末器およびその制御方法を提供する。【解決手段】携帯電話に代表される携帯通信端末器の使用が好ましくない場所や場面に設置あるいは携帯された条件に応じて決められた２通りの発信周期のうちいずれかの周期の制御信号を単独あるいは選択して継続発信する制御信号発信器と制御信号発信器が発する制御信号を制御エリア内で受信、２通りの制御信号のうちのいずれかを認識しそれぞれに対応して電源状態や動作モードの変更、復帰を自動で行う機能を持った携帯通信端末器。【選択図】図１
2005130422.tif 000002
【特許請求の範囲】
【請求項１】
携帯あるいは設置が可能であるとともに設定された制御信号を発信する制御信号発信器と、該制御信号を受信する機能を有し制御信号に対応するモードへ自動で機能を切り替える制御部を有する自動機能制御付き携帯通信端末器とで構成される携帯通信端末の自動切り替えシステム。
【請求項２】
制御信号発信器は、設置または携帯される条件に応じて決められた２通りの制御信号が単独で、あるいは設定条件に応じて選択して発信できるものであることを特徴とする請求項１記載の携帯通信端末の自動切り替えシステム。
【請求項３】
自動機能制御付き携帯通信端末は制御信号発信器が発する制御信号を受信し、２通りの制御信号のうちのいずれかであることを認識するとそれぞれに対応して電源状態や動作モードを自動で切り替え、設定された時間の経過後に切り替え前のモードへ自動で復帰する機能を有するものであることを特徴とする請求項１又は２記載の携帯通信端末の自動切り替えシステム。
【請求項４】
自動機能制御付き携帯通信端末は制御信号の受信によってモードが切り替わった状態においても、緊急使用が可能であるように制御を解除できる手段を有するものであることを特徴とする請求項１、２又は３記載の携帯通信端末の自動切り替えシステム。
【発明の詳細な説明】
【技術分野】
【０００１】本発明は、携帯電話に代表される携帯通信端末器の使用が好ましくない場所や場面に設置あるいは携帯された制御信号発信器とその制御信号の受信によって電源状態や動作モードを自動で変更、復帰する機能を持った携帯通信端末器およびその制御方法に関するものである。
【背景技術】
【０００２】従来、心臓ペースメーカーなどの医療機器を装着している人や医療機器、航空機計器などの精密測定機器の近辺で使用することが悪影響を及ぼすおそれのある携帯電話を代表とする携帯通信端末器は、使用者にとってその使用している場所や場面が好ましくないかどうか不明の場合が多く、携帯通信端末機器を使用することにより発する電波が無意識に医療機器などの誤動作などを引き起こしていることがあった。【０００３】また、静寂が求められる劇場、図書館、公共交通機関の車内などでは携帯通信端末器の発する着信音や操作に伴う発信音および電話における会話などがまわりの人々に迷惑や不快感を与えることがあった。
これらのことを防ぐためには、携帯通信端末器の使用を控えたり、電源を切ったり、着信音などを発しないモードに切り替えたりすることがマナーとして必要となっていた。
さらには、それらの場所から離れた場合には電源を入れ直したり着信音モードなどを元に戻すことを強いられていた。
【発明の開示】
【発明が解決しようとする課題】
【０００４】これらのことは携帯通信端末器を使用する人が自発的にその場の状況を判断して機器の電源を切ったり動作モードを変更することが公共のマナーとして求められているが、煩わしさを伴う行為であるため積極的に行動を起こす人が少なく、多くの場所や場面で悪影響を与えてきた。
本発明は、以上の問題を解決するためになされたものである。
【課題を解決するための手段】
【０００５】本発明の制御信号発信器は機器電源がオンの間、本発明の自動機能制御付き携帯通信端末器の自動制御機能を働かせるための制御信号をごく限られたエリアにのみに一定周期をもって継続して発信するものであり、発する制御信号は発信器の形態や状況に応じて２通りを有する。
また、自動機能制御付き携帯通信端末器は電源オンの状態である場合に制御信号発信器の発する制御信号をその限られたエリアで受信し、受信認識した２通りのいずれかの信号に応じて自動で電源を切る、あるいは着信音や操作音を禁止するモードへ移行する機能を有するものである。なお、自動でモードを移行した端末器は、設定された一定時間経過後に自動で移行前のモードに戻る機能も有する。また、本システムが機能し、電源が切れている状態でも緊急使用を要する場合には一時的に機能解除が可能なものである。
【発明の効果】
【０００６】心臓ペースメーカー装着者や精密測定機器が本発明の制御信号発信器を携帯または装備し、制御信号を継続して発信しておくことでその制御エリア内に在る本発明の自動機能制御付き携帯通信端末器の電源を自動で切ることが可能となり、装置の誤作動や事故の防止および安心感が得られる。また、その携帯端末器の使用者においてもその使用が好ましいかどうかの周囲の状況を都度判断することをせずとも、また手を煩わせることなく電源を切るというマナーを確実に実行できる。
一方、静寂が求められる公共の場に本発明の制御信号発信器を設置し稼働させておくことでその制御エリア内に在る本発明の自動機能制御付き携帯通信端末器に対し手を煩わせることなく自動で電源を切ったり、着信音や操作音を禁止するモードへ移行させることにより雑音となりうる発信音などを排除することが可能となり、まわりの人々へ迷惑や不快感を与えることがなくなる。【０００７】さらに、制御信号によりモードを切り替えられた携帯通信端末は、あらかじめ設定された一定時間経過後に切り替え前の通常使用のモードへ自動で復帰する機能を有することにより携帯通信端末使用者が特別に意識することなくマナーの遵守および制限のない端末の使用が可能である。【０００８】また、本制御システムにより自動で電源が切られた状態の携帯通信端末において、一時的な制御の解除手段を持つことで、設定された経過時間を待つことなく、かつ制御エリア内においても緊急使用が可能である機能を有することで非常時の対応が可能である。
【発明を実施するための最良の形態】
【０００９】制御信号発信器について説明をする。
制御信号発信器はパルス的な信号を一定周期をもって継続発信するものである。
発信する信号の電波強度は発信器からの距離が２〜３メートル以内にある携帯通信端末器のみが受信可能となる程度の制御エリアの狭いもの、あるいは発信器からの距離が周囲数メートル〜十数メートル以内の携帯通信端末器が受信可能な程度の比較的広いものの２通りが有り、さらに発信周期には短周期のものと長周期のものの２通りが有る。
発信周期の短周期なものをＳ型制御信号と呼ぶこととし、比して長周期のものをＷ型制御信号と呼ぶこととする。
発信信号の強度や周期は設置場所や用途に応じて選択するものであるが、Ｓ型制御信号は受信する端末器の電源を切るための制御命令用として使用し、Ｗ型制御信号は受信する端末器の動作モードを着信音や操作音の禁止モードへ移行させるための制御命令用として使用するものである。【００１０】自動機能制御付き携帯通信端末器の動作フローについて説明をする。（図３）
この端末器は前出のＳ型あるいはＷ型制御信号発信器の発するエリア内でその制御信号を認識受信する機能を有するものである。
端末器の電源がオン（Ｓ０１）の状態で受信待ち受けし（Ｓ０２）、あらかじめ設定されているしきい値以上の受信電波強度の制御信号を受信認識（Ｓ０３）するものである。
端末器は制御信号を初めに受信した時からあらかじめ設定された２通りの設定時間内において受信した制御信号の回数をカウントし（Ｓ０４あるいはＳ０７）、それぞれの決められた設定時間内でのカウント数を認識した時点でそれらに対応する２通りの決められた動作モードに自動で移行するものである。（Ｓ０５あるいはＳ０９）
あらかじめ設定された２通りの設定時間とはＳ型制御信号発信器からの制御信号に対するカウント時間とＷ型制御信号発信器からの制御信号に対するカウント時間であり、Ｓ型の場合と比してＷ型の場合を長時間の設定とする。
カウント時間を２通り設定しておくことで発信信号自体は同じでも異なる発信周期をもつ２種類の制御信号がＳ型もしくはＷ型であるかの認識が可能となっている。
そのうえで、Ｓ型発信器からの受信を認識した時点では端末器はいかなる動作状態であっても電源を自動的に切る。（Ｓ０５）
また、Ｗ型発信器からの受信を認識した時点で、端末のモードが着信音や操作音が出されるモードであった場合（Ｓ０８）には、端末器は着信音などの発音を禁止するモードへ自動で移行する。（Ｓ０９）
なお、設定されたカウント時間内において受信した制御信号が決められた回数のカウント数に到達しなかった場合には、動作モードの移行はしない。これは、電源オン状態の端末器を所有する人が制御信号発信器の制御エリア周辺を通りかかっただけの場合にむやみに動作モードが変わることを防ぐものである。
また、本システムの機能により動作モードが移行した場合には設定された一定時間経過後にモード移行前の状態へ自動で戻るものである（Ｓ０６あるいはＳ１０、Ｓ１１）。なお、戻った時点で依然として制御信号エリア内であれば再度機能が働き、本システムの制御下にあることを維持するものである。
さらに、本システムにより電源が切られた状態にあっても、緊急時の対応として一時的な制御解除が可能となっている（Ｓ１２、Ｓ１３、Ｓ１４、Ｓ１５、Ｓ１６、Ｓ１７、Ｓ１８）。【００１１】本発明は以上の機器構成から成り立つ制御システムであり、次に２種類の制御信号に応じたそれぞれの具体的な使用例を説明する。（図１、図２、図３、図４）
２種類の制御信号の特徴はパルス的な信号で発信周期が異なるのみで信号としては同じものである。発信周期は、Ｓ型制御信号が約５秒、Ｗ型制御信号が約１５秒とする。【００１２】まず、Ｓ型制御信号発信器からの発信および受信する携帯通信端末器の制御信号認識についての具体例を示す。Ｓ型制御信号発信器は携帯通信端末器の使用がいろいろな形として悪影響を及ぼすおそれのある場合に携帯あるいは設置され、その端末器の電源を自動で切ることを目的としている。【００１３】Ｓ型制御信号発信器（６）の発信周期は約５秒であり、発信器の電源がオンの状態で継続して発信する。
そのうえで、電源オン状態の自動機能制御付き携帯通信端末器をもった人が制御信号発信器の制御エリアに入った場合を想定して説明する。（図１）【００１４】端末器は、設定されたしきい値を越えた強度の制御信号を初めに受信をした時点（Ｓ０３）から設定されたカウント時間内に受信する制御信号の回数をカウントしていく。
Ｓ型制御信号（８）の認識のためにはカウント時間を２０秒とし、その２０秒間に受信する制御信号の回数をカウントする。
Ｓ型制御信号の制御エリア内との認識は、設定されたカウント時間内に３回以上の制御信号をカウントした場合にその制御エリアに滞在していることを認識するものとする。【００１５】端末器は、Ｓ型制御信号発信器の制御エリア内に入った場合においてＳ型制御信号は発信周期約５秒であるため、制御信号のカウント数は３回もしくは４回となり、Ｓ型の制御エリア内に居ることを認識する（Ｓ０４）。
もし、初めに受信した制御信号が後述するＷ型発信器の発するものであればカウント時間の２０秒の間でカウントできる受信回数は１回となり、Ｓ型発信器の制御エリアではないものと判断し、続いてＷ型制御信号認識のためのカウント時間までカウントを継続する。【００１６】Ｓ型制御信号を３回以上カウントし、その制御エリアにいることを認識した端末器は直ちに自動で電源を切る（Ｓ０５）。【００１７】以上で端末器の動作は一旦停止するが、端末器に内蔵されているタイマー機能によりあらかじめ設定された経過時間はその状態を維持する。その後、設定された経過時間に到達すると移行前の状態である電源オン状態へ自動で復帰させる（Ｓ０６）。
経過時間は端末器の使用者が生活形態に応じてあらかじめ１５分〜６０分までのいくつかのステップのなかから任意選択設定できるものとする。【００１８】電源オンの状態に戻ると、再度制御信号待ち受け状態（Ｓ０２）となるので引き続いて制御エリアに滞在している場合には再び同様に動作モードの自動変更が行われることで継続してそのエリアに対して悪影響を与えることが無くなるものである。もちろん、制御エリアから離れていた場合には、動作モード移行前の電源オンの状態にあるので端末器の使用には制限は無い。【００１９】また、本システムが機能して電源が切れた状態にある端末器を使用するために電源を入れようとした時（Ｓ１２）には、本システムにより電源が切られた旨を使用者に伝える方法（Ｓ１３）を装備することが望ましい。しかしながら、緊急を要する使用の必然性が生じた場合（Ｓ１４）には、本システム機能の一時的な解除が必要であり、決められた任意の操作をする（Ｓ１５）ことで一定時間だけ電源オンし、制御信号を受け付けないようにする（Ｓ１６）ことで使用が可能（Ｓ１７）となる。一定時間経過後は、再び制御信号待ち受け状態になる（Ｓ１８）ことでシステムの制御下に置かれるものである。【００２０】一方、Ｗ型制御信号発信器からの発信および受信する携帯通信端末器の制御信号認識についての具体例を示す。Ｗ型制御信号発信器は主に静寂を要求される公共の場に設備として設置して、携帯通信端末器の発する音を防止するモードに変更する目的で使用されるものである。
Ｗ型制御信号（７）の発信周期は約１５秒であり、発信器の電源がオンの状態で継続して発信する。
そのうえで、電源オン状態の自動機能制御付き携帯通信端末器をもった人が制御信号発信器の制御エリアに入った場合を想定して説明する。（図４）【００２１】端末器は設定されたしきい値を越えた強度の制御信号を初めに受信をした時点（Ｓ０３）から設定されたカウント時間内に受信する制御信号の回数をカウントしていく。
まず、Ｓ型制御信号の認識のためにカウント時間２０秒に受信する制御信号の回数をカウントするが、この場合では、制御信号がＷ型発信器の発するものであるためカウント時間の２０秒間でカウントできる受信回数は１回となり、Ｓ型発信器の制御エリアではないことと判断し、続いてＷ型制御信号認識のためのカウント時間までカウントを継続する。【００２２】Ｗ型制御信号（９）の認識のためにはカウント時間は６０秒とし、その６０秒間に受信する制御信号の回数をカウントする。Ｗ型制御信号の制御エリア内との認識は、設定されたカウント時間内に３回以上の制御信号をカウントした場合にその制御エリアに滞在していることを認識するものとする。Ｗ型制御信号発信器の制御エリア内にいた場合には、Ｗ型制御信号は発信周期約１５秒であるため、制御信号のカウント数は３回もしくは４回となり、Ｗ型の制御エリア内に居ることを認識する（Ｓ０７）。【００２３】Ｗ型制御信号を３回以上カウントした場合は端末器は着信音や操作音も消音するモードへ自動で変更する（Ｓ０９）。なお、元々の着信音と操作音が発音しないモードで使用されていた端末器であれば（Ｓ０８）、Ｗ型制御信号を認識しても動作モードの変更は行わないものとし、次の制御信号待ち受けの状態となる。
また、カウント時間６０秒の間に制御信号の受信が２回以下であった場合は、カウントを一旦リセットし、次の制御信号待ち受けの状態とし端末器の動作モードは変更しない。これは、たまたま制御エリアを通りかかったのみとの判断をすることでむやみに端末器の動作モードが変わることを防止している。【００２４】以上で端末器の動作は一旦停止するが、端末器に内蔵されているタイマー機能によりあらかじめ設定された経過時間はその状態を維持する。その後、設定された経過時間に到達すると自動移行した端末器の状態を移行前の状態へ自動で戻す（Ｓ１０、Ｓ１１）。
経過時間は端末器の使用者が生活形態に応じてあらかじめ１５分〜６０分までのいくつかのステップのなかから任意選択設定できるものとする。【００２５】動作モードが移行前の状態に戻ると、再度制御信号待ち受け状態（Ｓ０２）となるので引き続いて制御エリアに滞在している場合には再び同様に動作モードの自動変更が行われることで継続してそのエリアに対して悪影響を与えることが無くなるものである。もちろん、制御エリアから離れていた場合には、動作モード移行前の状態にあるので端末器の使用には制限は無い。【００２６】以上の具体例に示したように、本発明のシステムの構築により公共のマナーを守る必要の有る場面や場所で携帯通信端末器を所有する人が特別に意識する必要もなく、かつ手を煩わすことなく確実にマナーを実行できるものである。さらに、心臓ペースメーカー装着者が制御信号発信器を携帯することにより安心して公共の場に居られることが可能となるものである。
【実施例１】
【００２７】制御信号発信器の実施例１として、心臓ペースメーカー装着者が携帯する場合に適した形の例を示す。
小型軽量でボタン電池などで駆動が可能な形態のものとすると良い。
さらに、携帯物の数が多い現代人にとってさらに携帯物を増やすことは好ましくないため、一般的によく携帯している物に内蔵する形態が望ましい。
例えば、腕時計、携帯電話の一部の機能として制御信号発信器を装備すると良い。
この場合の制御信号は、対象の携帯通信端末器の電源を切るためのＳ型制御信号発信器で、制御エリアは１〜２メートル程度の狭いもので良い。
【実施例２】
【００２８】制御信号発信器の実施例２として、自動車の運転席近辺に装備する形の例を示す。
自動車運転中の携帯通信端末器の使用は重大な事故を引き起こす可能性の高い極めて悪質なマナー違反であるが、現実はそのマナー違反を見かける機会が少なくない。
従って、自動車運転中は端末器の使用は厳禁とすべきであることから、自動車運転席近辺に制御信号発信器を装備するとよい。
ただし、運転中に限ることから制御信号発信器は自動車のエンジン回転中でかつギヤシフトがいずれかのギヤに選択されている時に限って連動稼働させると良い。
この場合は、対象の携帯通信端末器の電源を切るためのＳ型制御信号発信器で、制御エリアは１〜２メートル程度の狭いもので良い。
【実施例３】
【００２９】制御信号発信器の実施例３として、公共の広い空間、例えば劇場、図書館、学校、電車内などに設備として設置する形の例を示す。（図４）
発信器の制御エリアは数メートル〜十数メートルの広いものを使用すると良い。
１台の発信器で広いエリアをカバーできない場合や制御エリアを細かく設定する場合は、複数台の発信器を設置すると良い。
さらに、公共の場であるため携帯通信端末器の制御エリアであることを積極的に表示するなどの形態とすることが望ましい。
この場合は、その設置される場所や時間に応じてＳ型あるいはＷ型の制御信号を選択発信できるようにしてしておいても良い。なお、設備として常駐する形で使用する場合には電源供給は商用電源を使用でき、メンテナンスが可能である形態が良い。
【図面の簡単な説明】
【００３０】
【図１】本発明システムの代表使用概念図（心臓ペースメーカー装着者の場合）
【図２】Ｓ型およびＷ型制御信号発信器の発信と携帯通信端末器カウント時間の関係
【図３】携帯通信端末器の動作モード移行のフローチャート
【図４】広い空間での制御信号発信器複数設置（例：映画館）
【符号の説明】
【００３１】１  心臓ペースメーカー
２  Ｓ型制御信号発信器
３  Ｓ型制御信号の制御エリア
４  Ｓ型制御信号に制御される位置の携帯電話
５  Ｓ型制御信号に制御されない位置の携帯電話
６  Ｓ型制御信号
７  Ｗ型制御信号
８  Ｓ型制御信号カウント時間
９  Ｗ型制御信号カウント時間
【図１】
2005130422.tif 000003
【図２】
2005130422.tif 000004
【図３】
2005130422.tif 000005
【図４】
2005130422.tif 000006